(57)【要約】【課題】  バックライト用のランプからスペーサを介して引き出されたワイヤ線の引出し始端部の引出し方向が外向きになることを回避することにより、リアフレームやリアキャビネットの取付作業性が損なわれないようにすると共に、ワイヤ線の必要長を短縮してコストダウンを図る。【解決手段】  リアフレーム７の端縁７２を迂回させたワイヤ線４を、リアフレーム７の背面側の配線基板３にコネクタ５を介して接続する場合に、ワイヤ線４に取り付けたスペーサ６１によってワイヤ線４の引出し始端部４２の引出し方向を枠形フレーム１の１つの辺に沿う向きに変更する。ワイヤ線４が、１本のＵ字形ランプでなるランプの２つの端部２１，２１から個別に引き出されて１つのコネクタ５に接続された２本のリード線４１，４１を含んでいる。【選択図】        図１
2006330162.tif 000002
【特許請求の範囲】
【請求項１】
液晶モジュールのバックライトのランプを保持している枠形フレームにリアフレームが取り付けられ、上記ランプの端部から引き出されたワイヤ線が上記リアフレームの端縁を迂回してそのリアフレームの背面側に設置された配線基板にコネクタを介して接続されていると共に、上記ワイヤ線に取り付けられたスペーサが、上記枠形フレームに具備されたランプホルダー部の外側に付設されている保持枠部に、ワイヤ線の引出し始端部の引出し方向を外向きにして位置決め保持されている液晶表示装置において、
上記保持枠部に位置決め保持されている上記スペーサからのワイヤ線の引出し始端部の引出し方向を、上記外向きから上記枠形フレームの１つの辺に沿う向きに変更して上記スペーサから上記コネクタまでのワイヤ線の長さを短縮したことを特徴とする液晶表示装置。
【請求項２】
上記ワイヤ線が、１本のＵ字形ランプでなる上記ランプの２つの端部から個別に引き出されて１つの上記コネクタに接続された２本のリード線を含み、
上記ランプホルダー部が、矩形の上記枠形フレームの１つの辺を形成している側壁の２箇所に形成されて上記ランプの２つの端部が個別に嵌合されている凹所を有し、これらの凹所の形成箇所のそれぞれに上記保持枠部がその凹所の形成箇所を含んで中空の四角筒形に形成されていて、それらの保持枠部のそれぞれに、弾力性を有するゴムで立方体状に形作られた上記スペーサが嵌合されて位置決めされていると共に、それらのスペーサのそれぞれからの上記リード線の引出し始端部の引出し方向を互いに対向させてある請求項１に記載した液晶表示装置。
【請求項３】
液晶モジュールのバックライトのランプを保持している枠形フレームにリアフレームが取り付けられ、上記ランプの端部から引き出されたワイヤ線が上記リアフレームの端縁を迂回してそのリアフレームの背面側に設置された配線基板にコネクタを介して接続されていると共に、上記ワイヤ線に取り付けられたスペーサが、上記枠形フレームに具備されたランプホルダー部の外側に付設されている保持枠部に位置決め保持されている液晶表示装置において、
上記保持枠部に位置決め保持されている上記スペーサからのワイヤ線の引出し始端部の引出し方向を、上記枠形フレームの辺に沿う向きに定めてあることを特徴とする液晶表示装置。
【請求項４】
上記ワイヤ線が、１本の上記ランプの端部から引き出されて１つの上記コネクタに接続された２本のリード線を含み、それぞれのリード線に個別に取り付けられた上記スペーサが、相隣接して設けられた２つの上記保持枠部にそれらのリード線の引出し始端部の引出し方向を対向させて位置決め保持されている請求項３に記載した液晶表示装置。
【請求項５】
上記ランプホルダー部が、上記枠形フレームの１つの辺を形成している側壁に形成されて上記ランプの端部が嵌合されている凹所を有し、上記保持枠部が、上記側壁での上記凹所の形成箇所を含んで中空の四角筒形に形成されていて、その保持枠部に、立方体状又は直方体状に形作られた上記スペーサが嵌合されて位置決め保持されている請求項４に記載した液晶表示装置。
【請求項６】
上記ランプがＵ字形ランプであり、上記枠形フレームの１つの辺を形成している側壁の２箇所に、そのＵ字形ランプの２つの端部が個別に嵌合されている上記凹所が備わっている請求項５に記載した液晶表示装置。
【発明の詳細な説明】
【技術分野】
【０００１】
本発明は、液晶表示装置、特に、液晶モジュールのバックライトのランプの端部から引き出されたワイヤ線の線処理構造に工夫を講じた液晶表示装置に関する。
【背景技術】
【０００２】
図６はこの種の従来の液晶表示装置の要部を示した拡大背面図、図７はこの液晶表示装置での上記ワイヤ線の線処理構造を説明的に示した概略分解斜視図である。
【０００３】
この液晶表示装置は、正面視矩形の液晶モジュールが取り付けられた枠形フレーム１にＵ字形ランプでなるランプ２が保持されていて、このランプ２によって液晶モジュールにバックライトが与えられるようになっている。図示していないけれども、この枠形フレーム１に板金でなるリアフレームが取り付けられ、そのリアフレームによって枠形フレーム１の背面全体が覆われている。また、リアフレームの背面側にはインバータ基板を形成している制御用の配線基板３が設置されていて、この配線基板３のインバータ回路を介して上記ランプ２に駆動電圧が印加されるようになっている。配線基板３のインバータ回路とランプ２とをつなぐ電路は、上記ランプ２の２つの端部２１，２１から個別に引き出されたワイヤ線４である２本のリード線４１，４１を１つのコネクタ５に接続することによって形成されていて、そのコネクタ５は、リード線４１，４１側のプラグ５１と配線基板３側のジャック５２とによって形成されている。
【０００４】
そして、従来は、図６又は図７のように、ランプ２の端部２１，２１から引き出されたワイヤ線４である２本のリード線４１，４１のそれぞれを、枠形フレーム１に取り付けられている上記リアフレームの端縁を迂回させて上記のように配線基板３にコネクタ５を介して接続していると共に、それらのリード線４１，４１のそれぞれに取り付けられた弾力性を有するゴムでなるスペーサ６１，６１を、上記枠形フレーム１に具備されたランプホルダー部１２の外側に付設されている保持枠部６２，６２に嵌合して位置決め保持させることにより、それらのスペーサ６１，６１からのリード線４１，４１の引出し始端部４２，４２の引出し方向を外向き（枠形フレーム１に対して外向き）に定めていた。
【０００５】
この構成を備える従来の液晶表示装置は、ランプ２を取り付けた枠形フレーム１に上記リアフレームを取り付けることと、そのリアフレームに上記配線基板３を取り付けることとを行い、その後、リード線４１，４１の末端に接続されているプラグ５１を配線基板３側のジャック５２に差込み接続するという工程を経て組み立てられている。
【０００６】
一方、従来より、携帯用コンピュータに用いられる液晶表示装置のメインフレームにランプホルダーを設けることが知られていた（たとえば特許文献１参照）。
【特許文献１】特開２００１−３５６３２５号公報
【発明の開示】
【発明が解決しようとする課題】
【０００７】
しかしながら、ランプ２の端部２１，２１から引き出されたリード線４１，４１が図６又は図７を参照して説明した引廻し形態で線処理されていると、図６に示した枠形フレーム１にリアフレームを取り付けたり、そのリアフレームが取り付けられた枠形フレーム１の周囲に備わっているフランジ部１３を、その枠形フレーム１の背部と周囲とを覆って被せられるリアキャビネットに取り付けたりするときに、スペーサ６１，６１から外向きに引き出されているリード線４１，４１の引出し端部４２，４２やそれに連続するループ部分４３，４３が上記フランジ１３との重なり箇所に張り出していたりしてじゃまになり、そのためにリアフレームやリアキャビネットの取付作業性が損なわれるおそれのあることが知見された。このようなおそれは、図６に示されているところから明らかなように２本のリード線４１，４１のそれぞれについて認められるものであるため、たとえばランプから引き出されたワイヤ線が１本のリード線だけを含む場合であっても同様のおそれがあるということが云える。
【０００８】
本発明は以上の状況の下でなされたもので、スペーサから引き出されたワイヤ線（リード線を含む）の引出し始端部の引出し方向が外向きになることを回避することのできる対策を講じることによって、ランプから引き出されたワイヤ線の線処理構造を従来の場合よりも簡素化し、そのような線処理構造の簡素化を通じてリアフレームやリアキャビネットの取付作業性を改善することのできる液晶表示装置を提供することを目的とする。
【０００９】
また、本発明は、上記対策を講じることによって、ワイヤの必要長が従来よりも短縮された液晶表示装置を提供することを目的とする。
【課題を解決するための手段】
【００１０】
本発明に係る液晶表示装置は、液晶モジュールのバックライトのランプを保持している枠形フレームにリアフレームが取り付けられ、上記ランプの端部から引き出されたワイヤ線が上記リアフレームの端縁を迂回してそのリアフレームの背面側に設置された配線基板にコネクタを介して接続されていると共に、上記ワイヤ線に取り付けられたスペーサが、上記枠形フレームに具備されたランプホルダー部の外側に付設されている保持枠部に位置決め保持されている液晶表示装置において、上記保持枠部に位置決め保持されている上記スペーサからのワイヤ線の引出し始端部の引出し方向を、上記枠形フレームの辺に沿う向きに定めてある、というものである。
【００１１】
この構成であると、スペーサからのワイヤ線の引出し始端部の引出し方向が枠形フレームの辺に沿う向きに定められていることにより、その引出し端部や引出し端部に連続するループ部分が枠形フレームの外側に張り出すという事態が回避される。そのために、ワイヤ線の引出し端部やそれに連続するループ部分がリアフレームやリアキャビネットの取付作業のじゃまになったりすることがなくなってそれらの取付作業性が改善される。
【００１２】
また、ワイヤ線を、枠形フレームに取り付けられたリアフレームの端縁を迂回させてコネクタを介し配線基板に接続するという線処理構造を採用する場合に、この発明のようにワイヤ線の引出し始端部がスペーサから枠形フレームの辺に沿う向きに引き出されていると、図６や図７で説明した場合よりもワイヤ線４の必要長が短くて済み、そのことが線処理構造のシンプル化（簡素化）に役立つだけでなく、ワイヤ線についての部品コストが削減されて液晶表示装置を安価に提供することにも役立つようになる。
【００１３】
本発明では、上記ワイヤ線が、１本の上記ランプの端部から引き出されて１つの上記コネクタに接続された２本のリード線を含み、それぞれのリード線に個別に取り付けられた上記スペーサが、相隣接して設けられた２つの上記保持枠部にそれらのリード線の引出し始端部の引出し方向を対向させて位置決め保持されている、という構成を採用するが可能であり、これによっても上記した作用が同様に奏される。特に、２本のリード線に各別に取り付けられている２つのスペーサから引き出された引出し始端部が、それら２つのスペーサを位置決め保持している２つの保持枠部の相互間スペースに収容されるために、それらのリード線の線処理構造がシンプルになって雑多感がなくなるという利点もある。
【００１４】
本発明では、上記ランプホルダー部が、上記枠形フレームの１つの辺を形成している側壁に形成されて上記ランプの端部が嵌合されている凹所を有し、上記保持枠部が、上記側壁での上記凹所の形成箇所を含んで中空の四角筒形に形成されていて、その保持枠部に、立方体状又は直方体状に形作られた上記スペーサが嵌合されて位置決め保持されている、という構成を採用することが可能であり、これによれば、スペーサが保持枠部に確実に位置決め保持されてそのスペーサからのワイヤ線の引出し始端部の引出し方向が枠形フレームの辺に沿う向きに正確に定まる。
【００１５】
本発明では、上記ランプがＵ字形ランプであり、上記枠形フレームの１つの辺を形成している側壁の２箇所に、そのＵ字形ランプの２つの端部が個別に嵌合されている上記凹所が備わっているという構成を採用することが可能である。これによれば、ランプがＵ字形ランプである場合の線処理構造のシンプル化を通じて、リアフレームやリアキャビネットの組立作業性を改善することや液晶表示装置のコストダウンを図りやすくなる。
【００１６】
本発明に係る液晶表示装置は、上記ランプの端部から引き出されたワイヤ線が上記リアフレームの端縁を迂回してそのリアフレームの背面側に設置された配線基板にコネクタを介して接続されていると共に、上記ワイヤ線に取り付けられたスペーサが、上記枠形フレームに具備されたランプホルダー部の外側に付設されている保持枠部に、ワイヤ線の引出し始端部の引出し方向を外向きにして位置決め保持されている液晶表示装置において、上記保持枠部に位置決め保持されている上記スペーサからのワイヤ線の引出し始端部の引出し方向を、上記外向きから上記枠形フレームの１つの辺に沿う向きに変更して上記スペーサから上記コネクタまでのワイヤ線の長さを短縮した、という構成を採用することによっていっそう具体化される。そして、この場合に、上記ワイヤ線が、１本のＵ字形ランプでなる上記ランプの２つの端部から個別に引き出されて１つの上記コネクタに接続された２本のリード線を含み、上記ランプホルダー部が、矩形の上記枠形フレームの１つの辺を形成している側壁の２箇所に形成されて上記ランプの２つの端部が個別に嵌合されている凹所を有し、これらの凹所の形成箇所のそれぞれに上記保持枠部がその凹所の形成箇所を含んで中空の四角筒形に形成されていて、それらの保持枠部のそれぞれに、弾力性を有するゴムで立方体状に形作られた上記スペーサが嵌合されて位置決めされていると共に、それらのスペーサのそれぞれからの上記リード線の引出し始端部の引出し方向を互いに対向させてある、という構成を採用することによっていっそう具体化される。これらの各発明の作用などについては後述する実施形態を参照して詳細に説明する。
【発明の効果】
【００１７】
以上のように、本発明によれば、スペーサから引き出されたワイヤ線又はそのワイヤ線の具体例である２本のリード線の引出し始端部の引出し方向が外向きになることを回避した上で、それらの引出し始端部の引出し方向を枠形フレームの１つの辺に沿う方向に定めたので、ランプから引き出されたワイヤ線や上記リード線がじゃまになってリアフレームやリアキャビネットの取付作業性を損なうという事態が起こりにくくなるだけでなく、そのワイヤ線やリード線の線処理構造が従来の場合よりも簡素化されるために、ワイヤの必要長が従来よりも短縮されて従来よりも安価に液晶表示装置を提供することが可能になる。
【発明を実施するための最良の形態】
【００１８】
図１は本発明の実施形態に係る液晶表示装置の一部省略背面図、図２はランプ２が取り付けられた枠形フレーム３の背面図、図３は図２のＩＩＩ部拡大図、図４はワイヤ線４の線処理構造を説明的に示した概略分解斜視図、図５はワイヤ線４の線処理構造を説明的に示した概略斜視図である。
【００１９】
図１〜図４のように、枠形フレーム１は周囲に図示していないリアキャビネットにビス止めされるフランジ部１３を備え、そのフランジ部１３の内側には、矩形に形成されて背方に突き出た側壁１４が一体に備わっている。そして、この枠形フレーム１の前面に矩形の液晶モジュールがその周囲を重ね合わせて取り付けられている。また、枠形フレーム１の矩形の側壁１４の一部によって形成される１つのまっすぐな辺に、両端２箇所に凹所１５，１５を有するランプホルダー部１２が具備されていると共に、それらの凹所１５，１５の形成箇所のそれぞれに、凹所１５の形成箇所を含んで中空の四角筒形に形成された保持枠部１６，１６が一体に形成されている。
【００２０】
一方、この実施形態では、液晶モジュールのバックライトに２本のＵ字形ランプが用いられていて、そのＵ字形ランプでなる個々のランプ２の２つの端部２１，２１から２本のリード線４１，４１が個別に引き出されていて、それらのリード線４１，４１に取り付けられた弾力性を有するゴムでなる２つのスペーサ６１，６１が各別に上記端部２１，２１に嵌合状に装着されている。図４で判るように、これらの各スペーサ６１は、立方体状又は直方体状に形作られていて、２つの上記保持枠部１６に各別に嵌合されて位置決め保持されるのであり、そのようにすると、ランプ２の２つの端部２１，２１が２箇所の上記凹所１５，１５に各別に嵌まり込む。この場合、スペーサ６１はランプ２の端部２１がランプホルダー部１２と干渉することがないようにその端部２１を凹所１５内で位置決めする作用を果たしている。
【００２１】
図２や図３のほか、図４又は図５によっても示されているように、スペーサ６１からのリード線４１の引出し始端部４２の引出し方向は、枠形フレーム１の矩形の側壁１４によって形成される１つの辺に沿う向きに定まっている。より具体的には、スペーサ６１からのリード線４１の引出し始端部４２の引出し方向が、矩形の上記側壁１４によって形成される１つの辺に平行に沿う向きに定まっている。そして、１本のランプ２から引き出されている２本のリード線４１，４１については、２箇所の保持枠部１６，１６に位置決め保持されている２つのスペーサ６１，６１から引き出された引出し始端部４２，４２の引出し方向が互いに対向していて、それらの引出し始端部４２，４２が２箇所の保持枠部１６，１６の相互間スペースＳに収容されている。
【００２２】
図１に示したリアフレーム７は、矩形の枠形フレーム１によって取り囲まれた開口部分を塞ぐ大きさの矩形の板金によって形成されていて、ランプ２が取り付けられた枠形フレーム１のフランジ部１３を利用してその枠形フレーム１に固着されている。こうして枠型フレーム１にリアフレーム７を取り付けるときに、リード線４２，４２が内方へ垂れ出てリアフレーム７の取付作業のじゃまになることが考えられるけれども、そのような場合にはリード線４２，４２を外方へ引き出しておくとじゃまになることを回避することが可能である。また、リアフレーム７を枠型フレーム１に取り付ける際には、その取付けに先立って枠型フレーム１に白色の樹脂シートでなる反射シート８（図２又は図３参照）を重ね合わせ、その反射シート８の上からリアフレーム７を枠型フレーム１に取り付けることが普通であるので、その反射シート８の端部に図３に示したように切り目８２を備えるリード線通し孔８１を形成しておき、切り目８２に分け入らせたリード線４１をそのリード線通し孔８１に挿通させた状態で外側へ引き出しておいてもよい。
【００２３】
上記リアフレーム７は、上記スペーサ６１を背面側から押さえてそのスペーサ６１が保持枠部１６から抜け出さないようにするための押さえ片部７１を備えていると共に、そのリアフレーム７の背面側にはインバータ回路を備える制御用の配線基板３がビス止めなどの手段で取り付けられる。そして、その配線基板３に搭載されたジャック５２と、１本のランプ２の２つの端部２１，２１からそれぞれ引き出された２本のリード線４１，４１に共通の１つのプラグ５１とを差込み接続することによってコネクタ５が形成されている。こうして各リード線４１をコネクタ５を介して配線基板３に接続すると、図１及び図５を併せ見ることによって判るように、スペーサ６１とコネクタ５（プラグ５１）との間では、スペーサ６から引き出された各リード線４１の引出し端部４２が外向きに延び出すことなく枠形フレーム１の側壁１４に沿って互いに近付いた後、それらの各リード線４１が背方に曲がり、さらにリアフレーム７の端縁７２を迂回してコネクタ５に近づく方向に延びるというシンプルな線処理構造が形成される。特に、図３などに示したように２本のリード線４１，４１を反射シート８のリード線通し孔８１に挿通させておくと、それらのリード線４１，４１が束ねられていっそうシンプルな線処理構造が容易に形成される。そして、このような線処理構造を形成すると、リード線４１が枠型フレーム１のフランジ１３に重なり合う位置に張り出すことがないので、リアキャビネット（不図示）にフランジ部１３をビス止めする組立工程で、フランジ１３に重なり合う位置に張り出したリード線４２がじゃまになるという事態は起こり得なくなる。
【００２４】
この実施形態では、上記線処理構造を採用したことにより、１本のランプ２から引き出された２本のリード線４１，４１に、枠型フレーム１に対して外方へ延び出る部分が存在しなくなるので、図６及び図７を参照して説明した従来の場合に比べてリード線４１，４１の必要長が短縮されて、リード線４１，４１についての部品コストがそれだけ削減され、そのことが液晶表示全体のコストダウンを促進することに役立つ。
【００２５】
この実施形態では、１本のランプ２の２つの端部２１，２１から引き出された２本のリード線４１，４１が本発明に係るワイヤ線４を形成しているけれども、この点に関しては、ランプから引き出されたワイヤ線が１本のリード線だけを含む場合であっても同様である。
【００２６】
なお、図１〜図７において、同一又は相応する部分には同一符号を付してある。
【図面の簡単な説明】
【００２７】
【図１】本発明の実施形態に係る液晶表示装置の一部省略背面図である。
【図２】ランプが取り付けられた枠形フレームの背面図である。
【図３】図２のＩＩＩ部拡大図である。
【図４】ワイヤ線の線処理構造を説明的に示した概略分解斜視図である。
【図５】ワイヤ線の線処理構造を説明的に示した概略斜視図である。
【図６】従来の液晶表示装置の要部を示した拡大背面図である。
【図７】従来の液晶表示装置でのワイヤ線の線処理構造を説明的に示した概略分解斜視図である。
【符号の説明】
【００２８】
１  枠形フレーム
２  ランプ
３  配線基板
４  ワイヤ線
５  コネクタ
７  リアフレーム
１２  ランプホルダー部
１４  枠形フレームの側壁
１５  凹所
１６  保持枠部
２１  ランプの端部
４１  リード線
４２  リード線（ワイヤ線）の引出し始端部
６１  スペーサ
７２  リアフレームの端縁
【図１】
2006330162.tif 000003
【図２】
2006330162.tif 000004
【図３】
2006330162.tif 000005
【図４】
2006330162.tif 000006
【図５】
2006330162.tif 000007
【図６】
2006330162.tif 000008
【図７】
2006330162.tif 000009